(57)【要約】      （修正有）【課題】血行促進、代謝促進などに有効なチタン素材乃至ゲルマニウム素材、黄土、玉石を手足などに作用可能とすると同時に、加温された蓄熱材を作用させて温熱療法を可能とする温熱療法パッドの提供。【解決手段】高周波による誘電加熱によって蓄熱される蓄熱材を、合成樹脂製フィルムで構成した袋体に収納して密封した温熱療法用ホットパックにおいて、チタン素材、ゲルマニウム素材から選ばれた少なくとも一種の無機物を該袋体に取り付けること、好ましくは、玉石を該袋体に取り付けること、黄土を蓄熱体に混合したことを特徴とする温熱療法パッドである。袋体の構造は、二枚の平面状のシートを重ね合わせて端を接合し、かつ袋体の一カ所に注入口を有する構造であること、ゲルマニウム素材乃至チタン素材、玉石は、容器に充填され、袋体を構成する平面状シートの間に取り付けられていることを特徴とする。【選択図】図１
0003119900.tif 000002
【実用新案登録請求の範囲】
【請求項１】
高周波による誘電加熱によって蓄熱される蓄熱材を、合成樹脂製フィルムで構成した袋体に収納して密封した温熱療法パッドにおいて、チタン素材、ゲルマニウム素材から選ばれた少なくとも一種の無機物を該袋体に取り付けたことを特徴とする温熱療法パッド。
【請求項２】
請求項１の温熱療法パッドにおいて、玉石を該袋体に追加取り付けたことを特徴とする温熱療法パッド。
【請求項３】
請求項１の温熱療法パッドにおいて、黄土乃至ゲルマニウムを蓄熱体に混合したことを特徴とする温熱療法パッド。
【請求項４】
請求項１、２、３において、チタン素材、ゲルマニウム素材から選ばれた少なくとも一種の無機物として、チタン、ゲルマニウム素材に、トルマリン、モナザイトが更に追加添加された素材であることを特徴とする温熱療法パッド。
【請求項５】
請求項１、２、３、４において、高周波による誘電加熱によって蓄熱される蓄熱材として、水溶性高分子の水溶液であることを特徴とする温熱療法パット。
【請求項６】
請求項１、２、３、４において、袋体の構造は、二枚の平面状のシートを重ね合わせて四辺を接合し、かつ袋体の一カ所に注入口を有する構造であることを特徴とする温熱療法パッド。
【請求項７】
請求項１、４において、ゲルマニウム素材、チタン素材、トルマリン、モナザイトは、袋体を構成する平面状シートの間に架設されている無機物収納部に収納され取り付けられていることを特徴とする温熱療法パッド。
【請求項８】
請求項２において、玉石は、袋体を構成する平面状シートの間に架設されている玉石収納部に収納され取り付けられていることを特徴とする温熱療法パッド。
【考案の詳細な説明】
【技術分野】
【０００１】
本考案は、首や手足等に使用するチタン、ゲルマニウム素材入り温熱療法パッドに関する。
【背景技術】
【０００２】
血行促進、代謝促進のため、最近チタン素材、ゲルマニウム素材が注目されている。これら素材は血行促進、鎮静、吸熱などの作用を有する。そして、これらの作用は、これら素材が皮膚と直接接触しない場合でも有効とされる。
【０００３】
従来、温熱療法用ホットパックのカバーとして、高周波による誘電加熱によって蓄熱される蓄熱材を、合成樹脂製フィルムで構成した袋体に収納して密封し、該袋体を布製カバーで出入自在に包み込んだ温熱療法用ホットパックにおいて、
前記カバーを、上面を保温性良好な布とし、下地を熱伝導性良好な布とする袋体で構成するとともに、該下面に蒸しタオル地などの湿布体を着脱自在に貼着した温熱療法用ホットパックのカバー（特許文献１）が開示されている。
また、チタン素材を手足などに巻付けて使用するバンドに応用しようとする試みがなされている。すなわち、繊維製品からなる表面層と、可撓性がある中間層からなるバンドにおいて、中間層にチタンなどを含有させた健康バンドが開示されている（特許文献２）。
【０００４】
【特許文献１】実開平４−３０５１９号公報
【特許文献２】実登３０４５８３５号公報
【考案の開示】
【考案が解決しようとする課題】
【０００５】
本考案の目的は、血行促進、代謝促進などに有効なチタン素材乃至ゲルマニウム素材、黄土、玉石を、より簡便な方法で、手足などに作用可能とすると同時に、加温された蓄熱材を作用させて温熱療法を可能とする温熱療法パッドを提供することである。
【課題を解決するための手段】
【０００６】
上記目的を達成するため、本考案の温熱療法パッドは、
（１）  高周波による誘電加熱によって蓄熱される蓄熱材を、合成樹脂製フィルムで構成した袋体に収納して密封した温熱療法パッドにおいて、チタン素材、ゲルマニウム素材から選ばれた少なくとも一種の無機物を該袋体に取り付けたことを特徴とする、
（２）  （１）の温熱療法パッドにおいて、玉石を該袋体に追加取り付けたことを特徴とする、
（３）  （１）の温熱療法パッドにおいて、黄土乃至ゲルマニウムを蓄熱体に混合したことを特徴とする、
（４）  （１）、（２）、（３）において、チタン素材、ゲルマニウム素材から選ばれた少なくとも一種の無機物として、チタン、ゲルマニウム素材に、トルマリン、モナザイトが更に追加添加された素材であることを特徴とする、
（５）  （１）、（２）、（３）、（４）において、高周波による誘電加熱によって蓄熱される蓄熱材として、水溶性高分子の水溶液であることを特徴とする、
（６）  （１）、（２）、（３）、（４）において、袋体の構造は、二枚の平面状のシートを重ね合わせて四辺を接合し、かつ袋体の一カ所に注入口を有する構造であることを特徴とする、
（７）  （１）、（４）において、ゲルマニウム素材、チタン素材、トルマリン、モナザイトは、袋体を構成する平面状シートの間に架設されている無機物収納部に収納され取り付けられていることを特徴とする、
（８）  （２）において、玉石は、袋体を構成する平面状シートの間に架設されている玉石収納部に収納され取り付けられていることを特徴とする。
【０００７】
本考案では、チタン素材、ゲルマニウム素材、トルマリンから選ばれた少なくとも一種の無機物、金属が使用される。ここに、チタン素材としては、金属チタンあるいはチタンを含有するチタン化合物、チタン合金である。チタン化合物としては、酸化チタン、炭化チタン、窒化チタンなどである。チタン合金としては、銅、スズ、鉄、アルミニウム、クロム、コバルト、モリブデン、タングステンなどの金属とチタンの合金をあげることができる。
そして、これらのチタン素材は、好ましくは、粒子の形で使用される。ゴムなどとの混合が容易になるからである。  
【０００８】
本考案で用いるゲルマニウム素材としては、ゲルマニウムをおそらくは化合物の形で含有するゲルマニウム鉱物である。
ゲルマニウム化合物としては、酸化ゲルマニウムなどである。
【０００９】
本考案では、ゲルマニウム素材、チタン素材とトルマリンを併用することができる。トルマリンは、別名電気石といわれ主成分として、Ａｌ、Ｂ、Ｓｉを有する。
種類としは、ショールトルマリン、リチアトルマリン、ドラバイトトルマリンがある。トルマリンはモース硬度７〜７．５、比重３〜３．３の六方晶系の鉱石である。トルマリンの特徴は、特有のマイナスイオンを作り出し、体質改善に有効とされることである。
【００１０】
本考案では、ゲルマニウム素材、チタン素材と、モナザイトを併用することができる。モナザイトは、トリウム鉱石の一種で、花崗岩ペグマタイト（巨晶）中に産出する。褐色柱状又は板状の結晶で透明感がある。ウラニウムを含み、放射線で長石を赤く、石英を黒く変色させる性質がある。また本考案では、リン酸カルシウムなどのバイオセラミックスを併用することもできる。ゲルマニウム素材、チタン素材、トルマリンなどは、粘土と共に成形、乾燥、硬化して成形物として使用することが好ましい。
【００１１】
本考案においては、チタン素材乃至ゲルマニウム素材に加え玉石を追加して使用することができる。玉石とは、庭などに使用する楕円球状の石をいうが、ヒスイを意味することもある。ヒスイは、漢方書において、「血液循環を促進し、精神的な鎮静作用があり、心拍機能や耳・目をよくする」と記載されている。
【００１２】
本考案においては、チタン素材乃至ゲルマニウム素材に加え、黄土を使用することができる。黄土とは、中国北部、朝鮮半島、アメリカ合衆国などに分布する黄灰色の堆積物で美顔などに使用され、優れた遠赤外線能力により、治療効果が認められている。
【００１３】
本考案で使用される高周波による誘電加熱によって蓄熱される蓄熱材に使用される水溶性高分子としては、ポリビニルアルコール、ポリアクリル酸、ポリメタクリル酸などの合成高分子の水溶液、デンプン、膠などの天然高分子の水溶液をあげることができる。黄土は、前記合成高分子の水溶液乃至天然高分子の溶液に分散して使用することができる。
【００１４】
本考案で使用される袋体の材料としては、ポリアミド、ポリ塩化ビニル、ポリオレフィン、ポリウレタン、ポリエステルなど従来公知のプラスチック材料や、合成ゴム、天然ゴムなどの弾性材料を使用できる。
【００１５】
本考案の温熱療法パッドは、腰、背中の上に置いたり、腕などに巻付けたりした状態で使用される。この場合、適度な厚みがあるシート状の形状である場合、取り扱いが容易である。この様にシート状の形状のためには、袋体の構造は、二枚の平面状のシートを重ね合わせて四辺を接合し、かつ袋体の一カ所に注入口を有する構造であることが好ましい。
【００１６】
本考案において、ゲルマニウム素材乃至チタン素材、トルマリン、モナザイトは、袋体を構成するシート間に架設されている無機物収納部に収納される。また玉石は、袋体を構成するシート間に架設されている玉石収納部に収納される。無機物収納部、玉石収納部は袋体の端から離れた位置に取り付けられ、袋体を構成する表裏二枚のシートにまたがって架設されている。この様に構成することにより、温熱療法パッドは、表裏の区別無く使用可能となる。
【００１７】
本考案の温熱療法パッドは、加温した後、足、腕に巻付けたり、腰、背中、腹の上にのせたりして使用する。加熱の方法としては、温水に浸すことも可能であるが、電子レンジを利用して加温することもできる。但し、電子レンジに長時間加熱し過ぎると、袋体注入口の栓がはずれ危険であるので注意する必要がある。
【考案を実施するための最良の形態】
【００１８】
以下に、本考案の実施例に就いて、説明する。図１は本考案の温熱療法パッド１の平面図である。図２は、図１Ａ−Ａ１における断面図である。本考案の温熱療法パッド１に使用する袋体２の構造は、二枚の平面状のシートを重ね合わせて四辺を接合し、かつ袋体の一カ所に注入口３を有する構造である。袋体２には、ポリビニルアルコール１０．０重量％水溶液８０．０重量部に、黄土１０．０重量部、ゲエルマニウム１０．０重量部を加えた、黄土・ゲルマニウム分散ポリビニルアルコール水溶液４が充填されている。
【００１９】
図３は、図１Ｂ−Ｂ１における断面図である。玉石５は円盤状の形状として、玉石収納部６に収容されている。図４は、図１Ｃ−Ｃ１における断面図である。チタン・ゲルマニウム素材７は、お椀状成型物として使用され、無機物収納部８に収納されている。ここに使用されるチタン・ゲルマニウム素材７は、以下のようにして作成された。まず次の組成の原料を配合する。ここに「部」とは、重量部である。
ゲルマニウム含有粘土                      ９６．４部
トルマリン                                  １．０部
モナザイト                                  ２．２部
チタン                                      ０．４部
合計                                    １００．０部
を混合し、更に水２００部とともに混合し、お椀型容器に入れ、乾燥硬化させゲルマニウム素材を得る。
【００２０】
００１９におけるチタン・ゲルマニウム素材の代わりに、チタンを配合しないで作成する。
ゲルマニウム含有粘土                    １８１  部
トルマリン                                  ７  部
モナザイト                                  ６  部
ゲルマニウム                                ６  部
合計                                    ２００  部
を混合し、ゲルマニウム素材を得る。同様に温熱療法パッドが作成された。
【００２１】
本考案の温熱療法パッドは、温水に浸漬して加温後、患部に巻いたりして使用できるが、電子レンジを使用して、汁物の加温とほぼ同じ条件で加温し使用できる。加温し過ぎると、注入口３の栓がはずれ、袋体内部の黄土分散ポリビニルアルコール水溶液が漏れ出すので危険である。使用に際しては、タオルなどで温熱療法パッドを覆い使用することも可能である。
【００２２】
以上の説明によって明らかな様に、本考案によるチタン、ゲルマニウム素材入り温熱療法パッドは以下のような効果を有する。
（ａ）  本考案の温熱療法パッドは、足、腕に巻付けたり、背中、腰、腹の上に置いたりして温熱療法が可能である。
（ｂ）  ゲルマニウム鉱物の効果により、自律神経の調整などの作用を有する。また半導体の特性から体内の活性酸素と結合し体外に運び出す効果が期待される。
（ｃ）  トルマリン鉱物の効果により、特有のマイナスイオンを作り出し体質改善効果が期待される。
（ｄ）  チタン素材の効果により、血行促進、代謝促進、鎮静、吸熱などの効果を有し、健康増進に有用である。
（ｅ）  玉石、黄土の効果により、体の痛みを和らげるなどの効果が期待される。
【図面の簡単な説明】
【００２３】
【図１】本考案の温熱療法パッドの平面図である。
【図２】図１Ａ−Ａ１における断面図である。
【図３】図１Ｂ−Ｂ１における断面図である。
【図４】図１Ｃ−Ｃ１における断面図である。
【符号の説明】
【００２４】
１    温熱療法パッド
２    袋体
３    注入口
４    黄土・ゲルマニウム分散ポリビニルアルコール水溶液  
５    玉石
６    玉石収納部
７    チタン・ゲルマニウム素材
８    無機物収納部
【図１】
0003119900.tif 000003
【図２】
0003119900.tif 000004
【図３】
0003119900.tif 000005
【図４】
0003119900.tif 000006